(57)【要約】【課題】廃券の券片整理を容易なものにでき、券片整理に要する時間が短縮され、係員による選り分けミスが低減される券類発行装置および廃券処理システムを提供する。【解決手段】廃券処理機能を有し、廃券を回収する回収スタッカを備えた券類発行装置１であって、廃券処理パターンに基づいて廃券を複数の回収スタッカ２１、２２に振り分ける振り分け手段を備える券類発行装置１とした。【選択図】図１
2008165521.tif 000002
【特許請求の範囲】
【請求項１】
廃券処理機能を有し、廃券を回収する回収スタッカを備えた券類発行装置であって、
廃券処理パターンに基づいて廃券を複数の回収スタッカに振り分ける振り分け手段を備えることを特徴とする券類発行装置。
【請求項２】
前記廃券処理パターンは、少なくとも廃券処理後の券片整理の有無の違いによる２つのパターンを有することを特徴とする請求項１に記載の券類発行装置。
【請求項３】
前記廃券処理パターンは、廃券理由の違いによる複数のパターンを有することを特徴とする請求項１に記載の券類発行装置。
【請求項４】
券片毎に廃券理由の情報を取得する取得手段と、
取得された廃券理由の情報から生成した廃券理由の統計データを記憶する記憶手段と、
記憶した統計データを上位コンピュータシステムに送信する送信手段と、
を備えることを特徴とする請求項３に記載の券類発行装置。
【請求項５】
廃券理由に関する磁気データを券片に書き込む書き込み手段を備え、前記取得手段は、この券片に書き込まれた磁気データを読み取る構成からなることを特徴とする請求項４に記載の券類発行装置。
【請求項６】
廃券理由毎に孔の数若しくは孔の位置を異ならせて券片に穿孔する構成を備え、前記取得手段は、この券片に穿孔された孔を光学センサにより検出する構成からなることを特徴とする請求項４に記載の券類発行装置。
【請求項７】
廃券と同一サイズの紙片であって、前記統計データが印刷される統計データ票を装置内部で作成可能に構成されていることを特徴とする請求項４ないし請求項６のいずれか１項に記載の券類発行装置。
【請求項８】
請求項４ないし請求項７のいずれか１項に記載の券類発行装置と、前記上位コンピュータシステムと、この上位コンピュータシステムに接続され、前記統計データを表示可能なモニタ装置と、を備えることを特徴とする廃券処理システム。
【請求項９】
装置内部で廃券処理された廃券を券取出口から排出可能に構成された券類発行装置であって、
廃券と共に、この廃券の廃券理由を印刷した副票を前記券取出口から排出する構成としたことを特徴とする券類発行装置。
【発明の詳細な説明】
【技術分野】
【０００１】
本発明は、発行した券片を装置内部で廃券処理可能な券類発行装置およびこの券類発行装置を備えた廃券処理システムに関するものである。
【背景技術】
【０００２】
図１２に券類発行装置の従来構成を示す。券類発行装置１０１は例えば鉄道の乗車券や定期券等を発行する装置である。装置の外郭をなす筐体１ａの内部にはロール紙３が収納されており、このロール紙３から引き出された先端部はカッター７により切断され、券片として搬送路２を介して搬送される。符号４は、例えばプラスチック製の券片を格納したカード券ホッパを示し、このカード券ホッパ４から供給される券片も搬送路２を介して搬送される。搬送路２には、印字部８、磁気書き込みヘッド１０、磁気読み取りヘッド１１が設けられる。搬送路２の末端側は二股に分岐形成され、それぞれ装置外部に臨む券取出口５、券挿入口６が設けられる。券取出口５周りには、この券取出口５から排出された券片を受ける排出スタッカ１２が取り付けられている。搬送路２における印字部８と磁気書き込みヘッド１０との間には廃券搬送路２ａが分岐形成されており、その途上にパンチ機構部９が設けられ、末端に回収スタッカ１３が設けられる。
【０００３】
以上の構成からなる券類発行装置１０１において、券片の発行は、顧客の購入情報を券片の表面に印字部８により印刷し、磁気書き込みヘッド１０により裏面の磁気ストライプに磁気情報を書き込んで、券取出口５から排出スタッカ１２に排出することでなされる。
【０００４】
発行した券片が何らかの理由により無効となった場合、通常この無効となった券片は廃券処理される。券片を廃券にする理由としては、
（１）発行処理中に障害が発生し、顧客に券片を渡せなくなった場合、
（２）発行後に顧客要求等により購入情報に変更が生じた場合、
（３）有効期限を持つ券片（定期券等）を更新する場合、
等が挙げられ、従来の廃券処理としては、対象券片の所定位置に前記パンチ機構部９によりパンチ孔をあけた後、回収スタッカ１３に収納するか、若しくは排出スタッカ１２に排出する形態が採られている。
【０００５】
図１３にパンチ孔をあけた廃券の例を示す。前記したように券片を廃券にする理由（これを廃券理由という）が複数あるにもかかわらず、パンチ孔１４を常に券片１５の所定位置にあけると、のちの廃券の券片整理で廃券理由別に分けたいとき、目視では判別できないという不都合が生じる。この問題に対し、特許文献１には、エラー原因を目視で判別可能とするエラーコードを券面に印刷する技術が記載され、特許文献２には、廃券処理パターン別に穿孔位置を異ならせる技術が記載されている。
【特許文献１】特開平９−２７０４９号公報
【特許文献２】特開２０００−３３９５００号公報
【発明の開示】
【発明が解決しようとする課題】
【０００６】
これら特許文献の技術を用いれば、廃券理由を目視で判別できることになるが、廃券が多数ある場合には、係員の目視に依る選り分け作業では時間がかかり、また選り分けミスも起こりやすくなる。
【０００７】
本発明は、以上のような問題を解決するために創作されたものであり、回収後の廃券の券片整理を容易なものにでき、券片整理に要する時間が短縮され、係員による選り分けミスが低減される券類発行装置および廃券処理システムを提供することを目的としている。
【課題を解決するための手段】
【０００８】
本発明は、前記課題を解決するため、廃券処理機能を有し、廃券を回収する回収スタッカを備えた券類発行装置であって、廃券処理パターンに基づいて廃券を複数の回収スタッカに振り分ける振り分け手段を備えることを特徴とする券類発行装置とした。
【０００９】
この券類発行装置によれば、回収後の廃券の券片整理を容易なものにでき、券片整理に要する時間が短縮され、係員の選り分けミスも低減される。
【００１０】
また本発明において、前記廃券処理パターンは、少なくとも廃券処理後の券片整理の有無の違いによる２つのパターンを有することを特徴とする券類発行装置とした。
【００１１】
この券類発行装置によれば、廃券処理後の券片整理を行う際、整理不要の廃券は既に分別されていることになるので、券片整理に要する時間が短縮され、係員の選り分けミスが低減される。
【００１２】
また本発明において、前記廃券処理パターンは、廃券理由の違いによる複数のパターンを有することを特徴とする券類発行装置とした。
【００１３】
この券類発行装置によれば、回収後の券片整理が必要な廃券について、廃券理由毎に自動で仕分けることが可能となる。つまり、係員の廃券毎の目視による選り分け作業が不要となり、券片整理に要する時間が短縮され、係員の選り分けミスの問題も解消される。
【００１４】
また本発明において、券片毎に廃券理由の情報を取得する取得手段と、取得された廃券理由の情報から生成した廃券理由の統計データを記憶する記憶手段と、記憶した統計データを上位コンピュータシステムに送信する送信手段と、を備えることを特徴とする券類発行装置とした。
【００１５】
この券類発行装置によれば、上位コンピュータシステム側で廃券理由の統計データを管理でき、券類発行装置の廃券状況の把握が容易となる。
【００１６】
また本発明において、廃券理由に関する磁気データを券片に書き込む書き込み手段を備え、前記取得手段は、この券片に書き込まれた磁気データを読み取る構成からなることを特徴とする券類発行装置とした。
【００１７】
この券類発行装置によれば、券の発行時に使用される磁気書き込みヘッドを利用できるので、経済的な券類発行装置を構築できる。
【００１８】
また本発明において、廃券理由毎に孔の数若しくは孔の位置を異ならせて券片に穿孔する構成を備え、前記取得手段は、この券片に穿孔された孔を光学センサにより検出する構成からなることを特徴とする券類発行装置とした。
【００１９】
この券類発行装置によれば、光学センサを利用する構成なので、磁気ストライプを有さない券片に対しても統計データを得ることができる。
【００２０】
また本発明において、廃券と同一サイズの紙片であって、前記統計データが印刷される統計データ票を装置内部で作成可能に構成されていることを特徴とする券類発行装置とした。
【００２１】
この券類発行装置によれば、統計データ票として廃券と同一サイズの紙片を用いることで、回収した廃券をまとめる際に表紙として束ねることができる。したがって、廃券の束の内容を目視にて容易に判断できることとなる。また、統計データ票を券類発行装置の内部で作成可能に構成したので、別途にプリンタを用意する必要もなくなる。統計データ票の紙片としては、発券に使用する用紙をそのまま使用することができる。
【００２２】
また本発明において、前記券類発行装置と、前記上位コンピュータシステムと、この上位コンピュータシステムに接続され、前記統計データを表示可能なモニタ装置と、を備えることを特徴とする廃券処理システムとした。
【００２３】
この廃券処理システムによれば、上位コンピュータシステム側のモニタ装置で廃券理由の統計データを管理できる。その結果、回収スタッカに回収された廃券の枚数と実際に処理した件数との確認が容易となる。
【００２４】
また本発明において、装置内部で廃券処理された廃券を券取出口から排出可能に構成された券類発行装置であって、廃券と共に、この廃券の廃券理由を印刷した副票を前記券取出口から排出する構成としたことを特徴とする券類発行装置とした。
【００２５】
この券類発行装置によれば、券取出口から排出される廃券に対して、その廃券理由を印刷した副票を合わせて発行することで、廃券の内容を容易に確認できる。
【発明の効果】
【００２６】
本発明によれば、廃券処理パターンに基づいて廃券を複数の回収スタッカに自動で振り分けることができる。特に券片整理の有無の違いによって振り分けることにより、廃券の券片整理を容易なものにでき、券片整理に要する時間が短縮され、係員による選り分けミスが低減される。
【発明を実施するための最良の形態】
【００２７】
以下、本発明について複数の実施例を示して説明する。
「第１実施例」
図１ないし図３は第１実施例に関する図面であり、図１は券類発行装置の装置構成図、図２は廃券処理に係る券類発行装置およびホストコンピュータの構成ブロック図、図３は券類発行装置の廃券処理手順を示すフローチャートである。
【００２８】
図１に示す券類発行装置１の各構成要素について、図１２に示したものと同じものについては同一の符号を付している。すなわち、券類発行装置１は、筐体１ａの内部にロール紙３が収納され、このロール紙３から引き出された先端部はカッター７により切断され、券片として搬送路２を介して搬送される。カード券ホッパ４から供給される券片も搬送路２を介して搬送される。搬送路２には、印字部８、磁気書き込みヘッド１０、磁気読み取りヘッド１１が設けられる。搬送路２の末端側は二股に分岐形成されて、それぞれ装置外部に臨む券取出口５、券挿入口６が設けられている。さらに、券取出口５周りには、この券取出口５から排出された券片を受ける排出スタッカ１２が取り付けられている。搬送路２における印字部８と磁気書き込みヘッド１０との間には廃券搬送路２ａが分岐形成されており、その途上には、廃券に穿孔するパンチ機構部９が設けられている。
【００２９】
本発明は、廃券処理パターンに基づいて廃券を複数の回収スタッカに振り分ける構成としたことを主な特徴とするものである。この第１実施例における廃券処理パターンは、廃券処理後に、係員による券片整理が必要なものと、回収後にそのまま廃棄処分にするなど、係員による券片整理が不要なものとの２つである。つまり、廃券処理パターンは、廃券処理後の券片整理の有無の違いによる２つのパターンからなる。したがって、回収スタッカは、廃券を２つのパターン別に回収するように、２つの回収スタッカ２１、回収スタッカ２２から構成される。廃券搬送路２ａの下流側は、回収スタッカ２１、回収スタッカ２２にそれぞれ通じる分岐路２３、分岐路２４に分岐形成され、その分岐点には廃券を分岐路２３、分岐路２４のいずれかに搬送するための振り分け機構部２５が設けられる。なお、振り分け機構部２５については公知構造の分岐機構で差し支えないため、その詳細な説明は省略する。
【００３０】
廃券処理の動作について図３のフローチャートを参照して、また、具体的な構成要素については適宜に図１、図２を参照して説明する。廃券処理対象の券片が券挿入口６に挿入されると（ステップＳ１０１のＹＥＳ）、券片は搬送路２によって搬送され、磁気読み取りヘッド１１を通過する際、券片裏面側の磁気ストライプから磁気情報が読み取られる（ステップＳ１０２）。図２に示すように、読み取った磁気情報に関する信号ｓ１は制御部２７に送信される。図３のステップＳ１０１でＮＯの場合は、ステップＳ１０１の処理に戻る。
【００３１】
ステップＳ１０２での磁気情報の読み取り後、券片は搬送路２上の退避部２６まで搬送され、そこで一時停止する。次いで、制御部２７から前記信号ｓ１が読み取りデータ（信号ｓ２）としてホストコンピュータ（上位コンピュータシステム）２９に送信される（ステップＳ１０３）。ここで、図２に示すオペレータ入力部２８は、オペレータが廃券に関する情報を入力する部位であり、オペレータは例えば廃券理由に関するコード番号などを入力する。このオペレータ入力部２８において入力があると（ステップＳ１０４のＹＥＳ）、オペレータ入力部２８から制御部２７に信号ｓ４が送信されるとともに、ホストコンピュータ２９から制御部２７に券片の磁気情報に関する信号ｓ３が送信され、この２つの信号ｓ３、信号ｓ４に基づいて制御部２７は廃券処理パターンを決定する（ステップＳ１０５）。ステップＳ１０４でＮＯの場合は、ステップＳ１０４の処理に戻る。
【００３２】
ステップＳ１０５の後、一時停止していた券片がパンチ機構部９まで搬送され、パンチ孔が穿孔されることで廃券となり（ステップＳ１０６）、ステップＳ１０５で決定した廃券処理パターンに基づいて回収スタッカ２１と回収スタッカ２２とに振り分けられる。すなわち、パターン結果を判定して、係員による券片整理が必要な場合（ステップＳ１０７のＹＥＳ）、廃券は第１の回収スタッカ（回収スタッカ２１）に回収され（ステップＳ１０８）、係員による券片整理が不要な場合（ステップＳ１０７のＮＯ）、廃券は第２の回収スタッカ（回収スタッカ２２）に回収される（ステップＳ１０９）。
【００３３】
以上のように、廃券処理パターンに基づいて廃券を複数の回収スタッカに振り分ける構成とすれば、回収後の廃券の券片整理を容易なものとすることができる。特に、この第１実施例のように、廃券処理後の券片整理の有無の違いによる２つのパターンで廃券を振り分ける構成とすれば、整理作業は一方の回収スタッカのみに絞られるため、券片整理に要する時間が短縮され、係員の選り分けミスも低減される。
【００３４】
「第２実施例」
図４および図５は第２実施例に関する図面であり、図４は券類発行装置の装置構成図、図５は券類発行装置の廃券処理手順を示すフローチャートである。なお、廃券処理に係る券類発行装置およびホストコンピュータの構成は図２の構成ブロック図に準ずる。
【００３５】
図４に示す券類発行装置５１の各構成要素について、図１に示したものと同じものについては同一の符号を付し、その説明は省略する。この第２実施例における廃券処理パターンは、第１実施例で説明した「廃券処理後の券片整理の有無の違いによる２つのパターン」に加えて、「廃券理由の違いによる複数のパターン」を有する。図４では、４つの回収スタッカ３０〜３３を設け、各回収スタッカ３０〜３３にそれぞれ通じる分岐路３４〜３７を設けた場合を示している。ここでは仮に、「廃券理由の違いによる複数のパターン」として、既述した（１）発行処理中に障害が発生し、顧客に券片を渡せなくなった場合、（２）発行後に顧客要求等により購入情報に変更が生じた場合、（３）有効期限を持つ券片（定期券等）を更新する場合、の３パターンとし、それぞれ理由１、理由２、理由３というものとする。
【００３６】
廃券処理の動作について図５のフローチャートを参照して、また、具体的な構成要素については適宜に図４または図２を参照して説明する。本実施例ではステップＳ１０１〜Ｓ１０５に関して第１実施例と同じである。そこでステップＳ１０５に続くステップＳ２０１から説明すると、ステップＳ１０５で決定された廃券処理パターンが、券片整理が不要のパターンである場合（ステップＳ２０１のＮＯ）、一時停止していた券片がパンチ機構部９まで搬送され、１つのパンチ孔が穿孔され（ステップＳ２０２）、第４の回収スタッカ（例えば回収スタッカ３３）に回収される（ステップＳ２０３）。
【００３７】
ステップＳ２０１において、券片整理が必要なパターンの場合には（ステップＳ２０１のＹＥＳ）、次のステップＳ２０４に進む。ステップＳ２０４において、廃券処理パターンが理由１の場合（ステップＳ２０４のＹＥＳ）、一時停止していた券片がパンチ機構部９まで搬送され、１つのパンチ孔が穿孔され（ステップＳ２０５）、第１の回収スタッカ（例えば回収スタッカ３０）に回収される（ステップＳ２０６）。ステップＳ２０４でＮＯの場合、ステップＳ２０７に進む。ステップＳ２０７において、廃券処理パターンが理由２の場合（ステップＳ２０７のＹＥＳ）、一時停止していた券片がパンチ機構部９まで搬送され、２つのパンチ孔が穿孔され（ステップＳ２０８）、第２の回収スタッカ（例えば回収スタッカ３１）に回収される（ステップＳ２０９）。ステップＳ２０７でＮＯの場合、廃券処理パターンが理由３と特定され、一時停止していた券片がパンチ機構部９まで搬送され、３つのパンチ孔が穿孔され（ステップＳ２１０）、第３の回収スタッカ（例えば回収スタッカ３２）に回収される（ステップＳ２１１）。
【００３８】
なお、廃券理由の違いにより、パンチ孔の数を異ならせる代わりに、１つのパンチ孔の穿孔位置を異ならせる構成としても良い。また場合によっては、すべての廃券に対して同一位置、同一数のパンチ孔を穿孔しても良い。
【００３９】
以上のように、廃券理由の違いによる複数のパターン別に廃券を各回収スタッカに振り分ける構成とすれば、回収後の券片整理が必要な廃券について、廃券理由毎に自動で振り分けることが可能となる。つまり、係員の廃券毎の目視による選り分け作業が不要となり、券片整理に要する時間が短縮され、係員の選り分けミスの問題も解消される。
【００４０】
「第３実施例」
この第３実施例は、廃券理由の統計データを生成し、それを上位コンピュータシステムに送信可能とすることを主な目的としている。券類発行装置自体の構成は図４に示した第２実施例のものを用いることができる。前記目的を実現するに当たり、第３実施例の券類発行装置は、券片毎に廃券理由の情報を取得する取得手段と、取得された廃券理由の情報から生成した廃券理由の統計データを記憶する記憶手段と、記憶した統計データを上位コンピュータシステムに送信する送信手段と、を備える。
【００４１】
第３実施例に係る券類発行装置の動作について説明する。図４において、廃券処理対象の券片を券挿入口６に挿入すると、券片は搬送路２によって搬送され、磁気読み取りヘッド１１を通過する際、券片裏面側の磁気ストライプから磁気情報が読み取られる。磁気情報の読み取り後、券片は搬送路２上の退避部２６まで搬送され、そこで一時停止する。次いで、図２に示すように、制御部２７から、磁気読み取りヘッド１１（図４）で読み取った磁気情報（信号ｓ２）をホストコンピュータ２９に送信する。その後、ホストコンピュータ２９からの信号ｓ３とオペレータ入力部２８からの信号ｓ４とに基づいて、制御部２７は廃券処理パターンを決定する。以上の動作までは第２実施例と同じである。
【００４２】
第３実施例では、この後、図４において、退避部２６で一時停止していた券片が磁気書き込みヘッド１０まで搬送され、廃券理由（廃券処理パターン）が磁気データとして券片裏面の磁気ストライプに書き込まれる。書き込まれた磁気データは、磁気読み取りヘッド１１で読み取られて制御部２７（図２）に記憶される。つまり、この第３実施例では、磁気読み取りヘッド１１が前記した取得手段を構成する。また、制御部２７（図２）は、廃券理由に関する磁気データを券片毎に記憶し、これに基づいて廃券理由の統計データを生成してこれを記憶する。つまり、制御部２７（図２）は前記した記憶手段を構成する。
【００４３】
その後、券片はパンチ機構部９へ搬送され、所定の穿孔がなされたうえで各回収スタッカ３０〜３３に回収されるが、その間の動作は第２実施例と同じである。つまり、図５に示したステップＳ２０１〜Ｓ２１１と同一である。
【００４４】
図２の制御部２７に記憶した統計データは、上位コンピュータシステムからの指示により当該システムに送信可能であり、送信された統計データはモニタ画面で表示させることができる。この場合、制御部２７が前記した送信手段を構成する。なお、図６は、第３実施例に係る券類発行装置６１、上位コンピュータシステムであるホストコンピュータ２９、モニタ装置３８の接続関係を示す構成ブロック図である。モニタ装置３８におけるモニタ画面例を図７に示す。図７では、廃券理由毎の廃券処理枚数を表示した例を示しているが、その他にも券片の種類等、他のデータを表示させることもできる。
【００４５】
以上のように、券片毎に廃券理由の情報を取得する取得手段と、取得後の廃券理由の情報から生成した廃券理由の統計データを記憶する記憶手段と、記憶した統計データを上位コンピュータシステムに送信する送信手段と、を備える構成とすれば、上位コンピュータシステム側で廃券理由の統計データを管理でき、券類発行装置の廃券状況の把握が容易となる。特に、統計データを表示可能なモニタ装置を備えた廃券処理システムとすることで、回収スタッカに回収された廃券の枚数と実際に処理した件数との確認が容易となる。
【００４６】
また、廃券理由に関する磁気データを券片に書き込む書き込み手段（磁気書き込みヘッド１０に相当する）を備え、前記取得手段は、この券片に書き込まれた磁気データを磁気読み取りヘッド１１により読み取る構成とすれば、券の発行時に使用される磁気書き込みヘッド１０を利用できるので、経済的な券類発行装置となる。
【００４７】
「第４実施例」
この第４実施例は、廃券と同一サイズの紙片であって、第３実施例で得た統計データが印刷される統計データ票を券類発行装置の内部で作成可能に構成したことを特徴としている。印刷する統計データとしては、例えば図７で示したモニタ画面の統計データと同じものが良い。なお、印刷は印字部８（図４）を利用することができる。
【００４８】
この第４実施例によれば、統計データ票として廃券と同一サイズの紙片を用いることで、回収した廃券をまとめる際に表紙として束ねることができる。したがって、廃券の束の内容を目視にて容易に判断できることとなる。また、統計データ票を券類発行装置の内部で作成可能に構成したので、別途にプリンタを用意する必要もなくなる。また、統計データ票の紙片としては、発券に使用するロール紙３（図４）をそのまま使用することができる。
【００４９】
「第５実施例」
第５実施例は、第３実施例と同様、廃券理由の統計データを生成し、それを上位コンピュータシステムに送信可能とすることを主な目的としている。第５実施例が第３実施例と異なる点は、券片毎に廃券理由の情報を取得するに当たり、第３実施例では、廃券理由の情報を磁気書き込みヘッド１０を介して磁気データとして書き込み、それを磁気読み取りヘッド１１で読み取る構成であったのに対し、第５実施例では、廃券理由別に異ならせたパンチ機構部９による穿孔の数を光学センサで検出させる構成としたことにある。
【００５０】
図８は第５実施例に係る券類発行装置の装置構成図であり、廃券搬送路２ａにおけるパンチ機構部９と分岐路３４との間に光学センサ３９が設けられる。穿孔の数に合わせて光学センサ３９は３つの光学センサ３９ａ〜３９ｃから構成される。これにより、光学センサ３９ａ〜３９ｃの検出状態から穿孔の数、すなわち対象廃券の廃券理由が割り出される。なお、孔の数ではなく孔の位置を異ならせて穿孔した場合であっても、光学センサ３９により対象廃券の廃券理由を割り出すことが可能である。
【００５１】
図９は第５実施例における主要部の構成ブロック図を示し、第３実施例と同様に、ホストコンピュータ２９、モニタ装置３８を備える構成とすることで、券類発行装置で廃券処理した件数を上位コンピュータシステム側のモニタ装置３８で確認できることになる。したがって、回収スタッカに回収された廃券の枚数と実際に処理した件数との確認が容易となる。また、第５実施例では、光学センサを利用する構成なので、磁気ストライプを有さない券片に対しても統計データを得ることができる。
【００５２】
「第６実施例」
第６実施例は、廃券と共に、この廃券の廃券理由を印刷した副票を券取出口５（図１、図４）から排出する構成としたことを主な特徴とするものである。副票の用紙としては、ロール紙３を利用することができる。副票は、パンチ孔が穿孔された廃券が券取出口５から排出された後に間をおかず排出されてくることが望ましい。このような副票を廃券に合わせて発行することで、廃券の内容を容易に確認でき、すぐさま廃券と副票を一緒に束ねる等の措置を講じることで、後に券片整理が必要なときでも廃券理由の確認がしやすくなる。
【００５３】
以上、本発明について最良の実施形態を説明した。本発明は説明した形態に限らずに実施が可能である。例えば、回収スタッカに関する変形例として図１０に示すものが挙げられる。図１０に示した券類発行装置９１は、回収スタッカ４０を除けば図４に示した券類発行装置５１と同じ構成である。回収スタッカ４０は、分岐路３４〜３７から搬送されてくる廃券をそれぞれ区分して回収するように、区画された複数の回収スタッカ室４０ａを有した単一の部材として構成されている。このような回収スタッカ４０を用いても、後の廃券の券片整理において、整理に要する時間が短縮され、係員の選り分けミスの問題も解消される。このように、本願の特許請求の範囲に記載の「廃券を複数の回収スタッカに振り分ける」における「複数の回収スタッカ」とは、図４のように各回収スタッカ３０〜３３が別部材として構成されているものに限定されず、図１０に示した複数の回収スタッカ室４０ａのように、「複数の廃券の回収空間」を形成したものすべてを包含する。
【００５４】
また、回収スタッカは券類発行装置に対して外付けする形式でも良い。図１１では、分岐路３４〜３７の下流端を筐体１ａの外部に臨ませて廃券の排出口３４ａ〜３７ａを形成し、各排出口３４ａ〜３７ａから排出される廃券を受けることができるように、回収スタッカ４０を筐体１ａの外部に着脱自在に取り付ける、或いは設置する構成としている。
その他、本発明はその趣旨を逸脱しない範囲で適宜に設計変更が可能である。
【図面の簡単な説明】
【００５５】
【図１】本発明の第１実施例の図面であり、券類発行装置の装置構成図である。
【図２】本発明の第１実施例の図面であり、廃券処理に係る券類発行装置およびホストコンピュータの構成ブロック図である。
【図３】本発明の第１実施例の図面であり、券類発行装置の廃券処理手順を示すフローチャートである。
【図４】本発明の第２実施例の図面であり、券類発行装置の装置構成図である。
【図５】本発明の第２実施例の図面であり、券類発行装置の廃券処理手順を示すフローチャートである。
【図６】本発明の第３実施例の図面であり、券類発行装置、ホストコンピュータ、モニタ装置の接続関係を示す構成ブロック図である。
【図７】本発明の第３実施例の図面であり、統計データに関するモニタ画面である。
【図８】本発明の第５実施例の図面であり、券類発行装置の装置構成図である。
【図９】本発明の第５実施例の図面であり、ホストコンピュータ、モニタ装置等の構成ブロック図である。
【図１０】回収スタッカの第１変形例の説明図である。
【図１１】回収スタッカの第２変形例の説明図である。
【図１２】従来の券類発行装置の装置構成図である。
【図１３】パンチ孔をあけた廃券を示す図である。
【符号の説明】
【００５６】
１      券類発行装置
２      搬送路
３      ロール紙
５      券取出口
６      券挿入口
８      印字部
９      パンチ機構部
１０      磁気書き込みヘッド
１１      磁気読み取りヘッド
１２      排出スタッカ
２１、２２、３０〜３３、４０  回収スタッカ
２７      制御部
２９      ホストコンピュータ（上位コンピュータシステム）
３８      モニタ装置
３９      光学センサ
【図１】
2008165521.tif 000003
【図２】
2008165521.tif 000004
【図３】
2008165521.tif 000005
【図４】
2008165521.tif 000006
【図５】
2008165521.tif 000007
【図６】
2008165521.tif 000008
【図７】
2008165521.tif 000009
【図８】
2008165521.tif 000010
【図９】
2008165521.tif 000011
【図１０】
2008165521.tif 000012
【図１１】
2008165521.tif 000013
【図１２】
2008165521.tif 000014
【図１３】
2008165521.tif 000015